(57)【要約】【課題】  大入賞口の入賞率調整を高い精度で簡単且つ迅速に行うことができるパチンコ機を得る。【解決手段】  変動入賞装置１１２のベース１１３の前面における大入賞口１１４の上方に、入賞率調整機構１５０を設ける。入賞率調整機構１５０には、大入賞口１１４に向かって落下する遊技球が衝突した場合にその遊技球の落下方向を変化させる誘導部材１６６を配置し、この誘導部材１６６は、変動入賞装置１１２のベース１１３に、遊技盤１００の盤面１００Ａに沿って所定の方向（左右方向）のみにスライド可能に支持すると共に固定及び解除可能に設ける。大入賞口１１４の入賞率調整では、誘導部材１６６を固定解除しスライドさせるだけで、誘導部材１６６により遊技球が大入賞口１１４に誘導され易くなるよう又は誘導され難くなるよう位置調整できるようになる。【選択図】        図２
2005177272.tif 000002
【特許請求の範囲】
【請求項１】
遊技球を打ち込み自重落下させて遊技を行う遊技領域が設けられた遊技盤と、前記遊技領域に設けられ所定の遊技状態になると大入賞口を閉塞状態から開放状態に変移させる変動入賞装置と、を備え、前記遊技領域を落下する遊技球が前記大入賞口に入賞した場合に所定数の賞球を払い出すパチンコ機であって、
前記大入賞口の上方に配置され、大入賞口に向かって落下する遊技球が衝突した場合にその遊技球の落下方向を変化させる誘導部材と、
前記変動入賞装置に設けられ、前記誘導部材を前記遊技盤の盤面に沿って所定の方向のみにスライド可能に支持するガイド手段と、
前記誘導部材を前記変動入賞装置に固定する固定手段と、
を有することを特徴とするパチンコ機。
【請求項２】
前記変動入賞装置に前記誘導部材が固定可能とされる固定部が前記所定の方向に沿って複数設けられ、誘導部材は前記複数の固定部の何れか１つに選択的に固定されることを特徴とする請求項１記載のパチンコ機。
【請求項３】
前記誘導部材の固定位置を示す位置表示手段が設けられていることを特徴とする請求項１又は請求項２記載のパチンコ機。
【請求項４】
前記誘導部材の固定位置が識別不能となるよう前記位置表示手段の少なくとも一部を隠蔽する隠蔽手段が設けられていることを特徴とする請求項３記載のパチンコ機。
【請求項５】
前記位置表示手段は、前記誘導部材に設けられた指標部と、前記指標部に対応して前記変動入賞装置に設けられ指標部の位置を計測するための計測基準となる目盛が表示された目盛部と、を備えることを特徴とする請求項３又は請求項４記載のパチンコ機。
【発明の詳細な説明】
【技術分野】
【０００１】
本発明は、パチンコ機に係り、詳細には、大入賞口の入賞率を調整するための入賞率調整機構が設けられたパチンコ機に関する。
【背景技術】
【０００２】
パチンコホールでは、営業方法等に応じて台（パチンコ機）の平均出玉や確率変動中のベース（大当りを除いた出玉率：１００個／分のアウト玉数（打球数）に対するセーフ玉数（賞球数）の割合）を調整しており、その場合、基本的に機種の仕様変更ができないことから、遊技盤に設けられた釘（遊技釘）を調整することにより行っている。この遊技盤の釘調整には、大入賞口へ誘導される遊技球の割合（入賞率）を調整するための大入賞口周辺の遊技釘を調整する作業があり、図９に示される従来の遊技盤３００の例では、遊技領域３０２の下部に配置された変動入賞装置３０４に対し、大入賞口３０６の左右縁部の上側近傍に配置された２本の遊技釘３０８をそれぞれ基部で曲げ調整し、主に図中の左右方向に傾けることにより、大入賞口３０６の入賞率調整を行っている。
【０００３】
ただし、釘調整は高度な技量や習熟が要求され、特に、ホール経営にとって重要となる大入賞口の入賞率を左右する釘調整には高い精度が求められることから、初心者には非常に難しい作業となっている。そのため、ホールの全ての台を均一に調整する、あるいは台毎に所望の状態に調整することは困難であると共に、始動口や各種入賞口、役物の近傍などの他の遊技釘の調整も含めて作業に多くの時間を要している。
【０００４】
そこで、大入賞口の入賞率に関する釘調整を容易にするため、変動入賞装置（可変入賞装置）の真上に設ける振分釘を、遊技球が通過可能な所定の間隔で横方向に直線状に配列すると共に上下方向に多段（２段）で配置し、そのうちの上段側に配置された振分釘の傾きを調整することで大入賞口の入賞率を調整可能とするようにした技術が提案されている（特許文献１参照）。
【特許文献１】特開２００３−８８６２９号公報
【発明の開示】
【発明が解決しようとする課題】
【０００５】
しかしながら、上記特許文献１の場合でも、上段側の振分釘については傾きを調整する必要があるため、やはり、作業者が各台を均一又は台毎に所望の状態に調整できるようになるにはある程度の技量や習熟が必要であり、その調整では作業時間も長くなる。
【０００６】
本発明は上記事実を考慮して、大入賞口の入賞率調整を高い精度で簡単且つ迅速に行うことができるパチンコ機を提供することを課題とする。
【課題を解決するための手段】
【０００７】
上記目的を達成するために請求項１に記載の発明は、遊技球を打ち込み自重落下させて遊技を行う遊技領域が設けられた遊技盤と、前記遊技領域に設けられ所定の遊技状態になると大入賞口を閉塞状態から開放状態に変移させる変動入賞装置と、を備え、前記遊技領域を落下する遊技球が前記大入賞口に入賞した場合に所定数の賞球を払い出すパチンコ機であって、前記大入賞口の上方に配置され、大入賞口に向かって落下する遊技球が衝突した場合にその遊技球の落下方向を変化させる誘導部材と、前記変動入賞装置に設けられ、前記誘導部材を前記遊技盤の盤面に沿って所定の方向のみにスライド可能に支持するガイド手段と、前記誘導部材を前記変動入賞装置に固定する固定手段と、を有することを特徴としている。
【０００８】
請求項１に記載の発明では、遊技者は、パチンコ機を操作して遊技盤の遊技領域に遊技球を打ち込み、遊技領域内で遊技球を自重落下させることにより遊技を行う。遊技の進行に伴い、パチンコ機が小役や大役発生等の所定の遊技状態になると、遊技領域に設けられた変動入賞装置では、大入賞口を閉塞状態から開放状態に変移させる。この大入賞口の上方には誘導部材が配置されており、遊技領域内を大入賞口に向かって落下する遊技球が誘導部材に衝突した場合には、その遊技球は落下方向が変化する。ここで、落下方向が大入賞口に近づく方向へ変えられた遊技球は大入賞口に入賞し、又は大入賞口に入賞する確率が高くなり、落下方向が大入賞口から遠ざかる方向へ変えられた遊技球は大入賞口に入賞しない、又は大入賞口に入賞しなくなる確率が高くなる。そして、大入賞口に遊技球が入賞すると、パチンコ機から所定数の賞球が払い出される。
【０００９】
このようなパチンコ機において、大入賞口の入賞率を調整するには、大入賞口の上方に配置された誘導部材を移動させ位置を変更することにより行う。固定手段によって変動入賞装置に固定されている誘導部材は、作業者によってその固定が解除されると、変動入賞装置に設けられたガイド手段に支持され、遊技盤の盤面に沿って、例えば左右方向や上下方向、あるいは斜め方向等の所定の方向のみにスライド可能となる。ここで作業者は、誘導部材を手動で所定の方向にスライドさせ、誘導部材によって遊技球が大入賞口に誘導され易くなるよう又は誘導され難くなるよう、所望の位置に調整する。また調整後には、固定手段によって誘導部材を変動入賞装置に固定し、これにより、大入賞口の入賞率調整作業は完了する。
。
【００１０】
このように、大入賞口の入賞率調整においては、誘導部材を手動でスライド操作するのみであり、従来のように遊技釘を曲げて傾けるといった高度な技量が要求されることはないため、その調整を高い精度で簡単且つ迅速に行うことができる。
【００１１】
請求項２に記載の発明は、請求項１記載のパチンコ機において、前記変動入賞装置に前記誘導部材が固定可能とされる固定部が前記所定の方向に沿って複数設けられ、誘導部材は前記複数の固定部の何れか１つに選択的に固定されることを特徴としている。
【００１２】
請求項２に記載の発明では、変動入賞装置に、所定の方向に沿って固定部を複数設け、誘導部材の位置を変更して大入賞口の入賞率を調整する際は、誘導部材を所定の方向にスライドさせ複数の固定部の何れか１つに選択的に固定することにより行う。これにより、誘導部材の位置調整が容易になり、大入賞口の入賞率調整を更に簡単且つ迅速に行うことができる。
【００１３】
請求項３に記載の発明は、請求項１又は請求項２記載のパチンコ機において、前記誘導部材の固定位置を示す位置表示手段が設けられていることを特徴としている。
【００１４】
請求項３に記載の発明では、誘導部材の固定位置、すなわち、大入賞口に対する誘導部材の相対的な位置が位置表示手段によって示されるため、大入賞口の入賞率調整においては、作業者は位置表示手段を視認することで、誘導部材の位置をより高い精度に調整することができる。これにより、ホールにおけるパチンコ機毎の大入賞口の入賞率を均一に調整する、あるいはパチンコ機毎に大入賞口の入賞率を所望の状態に調整する場合の調整ばらつきやずれを抑制することができる。
【００１５】
請求項４に記載の発明は、請求項３記載のパチンコ機において、前記誘導部材の固定位置が識別不能となるよう前記位置表示手段の少なくとも一部を隠蔽する隠蔽手段が設けられていることを特徴としている。
【００１６】
請求項４に記載の発明では、誘導部材の位置調整時には、位置表示手段の少なくとも一部に対する隠蔽手段による隠蔽を解除して、誘導部材の固定位置が識別可能となるようにする。これにより、作業者は、位置表示手段によって示される誘導部材の固定位置に関する表示情報を視認し、誘導部材を簡単且つ高精度に位置調整できるようになる。また、誘導部材の位置調整後には、位置表示手段の少なくとも一部を隠蔽手段により隠蔽して、誘導部材の固定位置（誘導部材と大入賞口との相対的な位置関係）が識別不能となるようにする。これにより、遊技者に対しては、位置表示手段よる表示情報に基づき大入賞口の入賞率の調整状態を把握できないようにすることができる。
【００１７】
請求項５に記載の発明は、請求項３又は請求項４記載のパチンコ機において、前記位置表示手段は、前記誘導部材に設けられた指標部と、前記指標部に対応して前記変動入賞装置に設けられ指標部の位置を計測するための計測基準となる目盛が表示された目盛部と、を備えることを特徴としている。
【００１８】
請求項５に記載の発明では、大入賞口の入賞率調整において、誘導部材がスライドされると、誘導部材に設けられた指標部はスライドに伴い変動入賞装置に設けられた目盛部に対して相対移動する。また、誘導部材がスライド停止されると、指標部は目盛部に表示された特定の目盛を指し示す。この指標部が指し示している目盛から誘導部材の位置を計測することができ、これによって、誘導部材の調整位置、すなわち、変動入賞装置に設けられた大入賞口と誘導部材との相対的な位置関係を詳細に把握することができて微調整が可能になる。このような指標部及び目盛部によって位置表示手段を構成することにより、例えば誘導部材と大入賞口との相対的な位置を電気的検出手段によって検出し、電気的表示手段によって表示するような構成に比べて、位置表示手段を簡素且つ安価にできる。
【発明の効果】
【００１９】
本発明のパチンコ機は上記構成としたので、大入賞口の入賞率調整を高い精度で簡単且つ迅速に行うことができる。
【発明を実施するための最良の形態】
【００２０】
以下、本発明の実施形態に係るパチンコ機について図面を参照して説明する。
【００２１】
（第１の実施形態）
図１には本発明の第１の実施形態に係るパチンコ機が示され、図２には本実施形態に係るパチンコ機に適用される遊技盤が示されている。
【００２２】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２３】
内枠１４の前面上部には、ガラス板２２を装着したガラスフレーム（図示省略）を窓部に備えるガラス枠２６が配置されており、ガラス枠２６は左側端部が内枠１４に軸支されて開閉可能に取り付けられている。また、ガラスフレームに装着されたガラス板２２は、図１の紙面奥行き方向に所定の間隔で互いに平行に配置された一対のガラス板からなる二重構造となっている。この内枠１４の上部におけるガラス枠２６裏面側には、交換可能とされた遊技盤１００がセットされており、遊技盤１００は、ガラス枠２６を内枠１４に閉塞した状態でガラス枠２６（ガラス板２２）に覆われるようになっている。
【００２４】
ガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２５】
内枠１４の前面下部には、通常の上皿及び下皿の機能を有する一体皿３０が配置されている。一体皿３０は、パネル部材２７の左側端部が内枠１４に軸支されて開閉可能に取り付けられており、パネル部材２７の前面には、上部に遊技球を貯える球皿部２８が形成された球皿本体２９が突設されている。また、パネル部材２７前面の右側上部には、パチンコ機１０内の球払出装置から払い出された賞球が排出される賞球排出口４６が形成されており、この賞球排出口４６から排出された賞球は球皿部２８に貯留される。さらに、パネル部材２７前面の左側下部には灰皿３２が配置され、右側下部には打球の飛距離を調整するための発射ハンドル３４が取り付けられている。
【００２６】
内枠１４裏面の右側端部（裏面視左側端部）には施錠装置（図示省略）が取り付けられている。施錠装置にはシリンダー錠（錠前）５４が設けられており、シリンダー錠５４の鍵孔５６は内枠１４の前面から露出されている。この施錠装置によって、内枠１４は外枠１２に施錠され、ガラス枠２６は内枠１４に施錠されるとともに、一体皿３０は内枠１４にロックされて、それぞれ閉塞状態に固定される。また、シリンダー錠５４の鍵孔５６に図示しない鍵を差し込んで所定方向に回すことにより、内枠１４及びガラス枠２６は解錠され、ガラス枠２６を開放すると露出される施錠装置の解除レバー（図示省略）を押し下げることにより、一体皿３０はロック解除されるようになっている。
【００２７】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４と、サイド飾り１２２Ｌ、１２２Ｒとが取り付けられており、これらの外レール１０２、内レール１０４、サイド飾り１２２Ｌ、１２２Ｒによって囲まれた円形状の領域は、遊技球が移動可能な遊技領域１０１とされている。
【００２８】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００２９】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、本実施形態の変動入賞装置１１２には、詳細については後述する、大入賞口１１４の入賞率を調整するための入賞率調整機構１５０が設けられている。また、遊技領域１０１には、入賞口１１８、通過入賞口（スルー・チャッカー）１２０が設けられており、最下位置にアウト口１２４が配置されている。
【００３０】
なお、上述した役物や各種遊技部品が取り付けられている遊技領域１０１には、遊技領域１０１内を落下する遊技球を所定の経路に誘導する多数の遊技釘が打ち込まれているが、図２では主要な遊技釘１２６のみを図示している。また、本実施形態のパチンコ機１０は、発射装置を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿３０等を備えるとともに遊技盤１００が搭載された内枠１４によって構成されており、それらの内枠１４、ガラス枠２６、及び一体皿３０等は全て樹脂成形品とされている。
【００３１】
次に、本実施形態に係る変動入賞装置１１２に設けられた入賞率調整機構１５０について説明する。
【００３２】
図２に示されるように、入賞率調整機構１５０は、変動入賞装置１１２のベース１１３の前面における上部左側（大入賞口１１４の左縁部上方）及び上部右側（大入賞口１１４の右縁部上方）にそれぞれ配置されており、各入賞率調整機構１５０は、図３〜図６に示されるように、ベース１１３の前面に設けられた凹部１５２に各部材が組み付けられて構成されている。
【００３３】
入賞率調整機構１５０の基部となる凹部１５２は、図３（Ｂ）に示されるように、正面視が横長の矩形状とされている。凹部１５２には、その奥壁の下部に、左右方向（図３（Ｂ）の矢印Ａ方向）に沿った直線状のガイド孔１５４が延設され、ガイド孔１５４の上方で奥壁の中央部よりも少し下がった位置に、ガイド孔１５４の延設方向と平行な直線上に所定の間隔（等間隔）で配列された９個のストッパー孔１５６が形成されている。
【００３４】
ガイド孔１５４とストッパー孔１５６との間には、目盛部１５８が設けられている。目盛部１５８は、ガイド孔１５４の延設方向及びストッパー孔１５６の配列方向と平行な向きの直線目盛とされ、１１本の目盛線１６０がストッパー孔１５６の間隔と同じ間隔で割り振られている。また、この目盛部１５８は印刷又はベース１１３の成形時に金型によって凹設された刻印等により形成されている。
【００３５】
凹部１５２の左右の内側壁には、その高さ方向の略中央に位置して四角柱状の一対のリブ１６２が設けられている。一対のリブ１６２は、図４及び図５に示されるように、前端面が凹部１５２の前面開口（ベース１１３前面）よりも所定寸法だけ奥側に配置されており、前端面の中央に前後方向に貫通するロック孔１６４が形成されている。
【００３６】
この凹部１５２内には誘導部材１６６が配置されている。誘導部材１６６は、金属又は硬質樹脂製で、上側が球誘導部１６８、下側が固定部１７０及び操作部１７２とされ、それらが一体的に形成されている。
【００３７】
固定部１７０及び操作部１７２は、上側の固定部１７０が幅狭で下側の操作部１７２が幅広とされた正面視が凸形の一枚の平板状に形成されており、その板厚が凹部１５２の深さ寸法の１／３程度とされている。操作部１７２の裏面中央部には、横長の略楕円形とされたガイドボス１７４が突設されている。ガイドボス１７４は、短手方向となる上下方向の寸法がガイド孔１５４の孔幅寸法（図３（Ｂ）の上下方向の寸法）よりも僅かに小さくされ、操作部１７２裏面からの高さ寸法がガイド孔１５４の深さ寸法（図４の前後方向の寸法）よりも僅かに大きくされて、ガイド孔１５４に所定の向きで挿入可能とされている。このガイドボス１７４の先端面中央部には、ネジ１７６が螺合可能な図示しないネジ孔が形成されている（図４参照）。また、固定部１７０の前面中央部には、ストッパー孔１５６と略同径又は少し大径とされた固定孔１７８が形成されており、固定孔１７８及びストッパー孔１５６には、合成樹脂又は硬質ゴム製とされたストッパーピン１８０が挿抜可能とされている。
【００３８】
固定部１７０の上端に接続された球誘導部１６８は、上面を円柱周面状とする略半円柱形に形成されている。球誘導部１６８は、後面が固定部１７０及び操作部１７２の後面と同一面とされると共に、固定部１７０及び操作部１７２に対し前方へ所定寸法（凹部１５２の深さ寸法の約２倍）だけ突出して配置されている。
【００３９】
このように構成された誘導部材１６６は、図３〜図６に示されるように、球誘導部１６８を上側に向けて操作部１７２裏面のガイドボス１７４をガイド孔１５４に挿入し、凹部１５２の後側（ベース１１３の裏面側）からガイドボス１７４のネジ孔にネジ１７６をネジ止めすることにより、ネジ１７６の頭部がガイド孔１５４の孔縁に係止して凹部１５２の奥壁に取り付けられている。この取付状態では、球誘導部１６８の前部が凹部１５２内から突出し、図４（Ａ）に示されるように、遊技盤１００の盤面１００Ａよりも前方へ突出して遊技盤１００を覆う内側のガラス板２２付近まで延出している。また、ガイドボス１７４の長手方向となる上下外周面がガイド孔１５４の上下内周面に接して誘導部材１６６の左右方向への傾き及びガタツキは抑えられ、操作部１７２を左右方向へ押すと、ガイドボス１７４がガイド孔１５４に沿って摺動し、誘導部材１６６は、遊技盤１００の盤面１００Ａと平行に配置された凹部１５２の底面に沿って左右方向へスライドする（図３（Ｂ）及び図５（Ｂ）の矢印Ａ方向）。このスライドにおいて、操作部１７２の左右側端が目盛部１５８の目盛線１６０に重なった位置では、固定部１７０の固定孔１７８がストッパー孔１５６に位置合わせされ、上述したストッパーピン１８０の挿入が可能となる。ここで、固定孔１７８及びストッパー孔１５６にストッパーピン１８０を挿入すると、ストッパーピン１８０はストッパー孔１５６との嵌合力によって保持され、誘導部材１６６はストッパーピン１８０によって固定される。また、ストッパーピン１８０を固定孔１７８及びストッパー孔１５６から引き抜くと、誘導部材１６６は固定解除されて左右方向へスライド可能となる。
【００４０】
また、凹部１５２の前面下部には、その前面開口の下側を塞ぐ矩形平板状のカバー１８２が設けられている。カバー１８２は、図３（Ａ）に示される起立状態（閉塞位置）での長手方向（左右方向）寸法が凹部１５２開口の左右方向寸法に揃えられ、短手方向（上下方向）寸法が凹部１５２開口の上下方向寸法の約１／２とされ、厚さ寸法がベース１１３前面とリブ１６２前端面との段差寸法に揃えられている。このカバー１８２は、左右の下端部が凹部１５２の左右の内側壁下端部に軸支されて前後方向へ揺動可能とされており（図５（Ｂ）の矢印Ｂ方向）、凹部１５２の前面開口の下側を塞ぐ閉塞位置にすると、カバー１８２裏面の左上角部及び右上角部が凹部１５２内の一対のリブ１６２に当接して閉塞方向への揺動が規制されると共に、カバー１８２の前面が変動入賞装置１１２のベース１１３の前面に揃えられ、カバー１８２の上端部が球誘導部１６８の下面部に略接触する。また、カバー１８２前面の左上角部及び右上角部には、一対のリブ１６２のロック孔１６４と対応する位置に、ロック孔１６４と略同径又は少し大径とされた一対の固定孔１８４が形成されており（図５（Ｂ）参照）、これらの固定孔１８４及びロック孔１６４には、合成樹脂又は硬質ゴム製とされたロックピン１８６が挿抜可能とされている。
【００４１】
これにより、カバー１８２を開放位置から閉塞位置に揺動させると、各固定孔１８４が各ロック孔１６４に位置合わせされてロックピン１８６をそれぞれ挿入できるようになり、この状態で、固定孔１８４及びロック孔１６４にロックピン１８６を挿入すると、ロックピン１８６はロック孔１６４との嵌合力によって保持され、カバー１８２はロックピン１８６によって固定される。このように、カバー１８２によって凹部１５２の前面開口の下側を塞ぐと、誘導部材１６６の球誘導部１６８よりも下方に配置されたストッパー孔１５６、ストッパーピン１８０、及び目盛線１６０等がカバー１８２に隠蔽される。また、誘導部材１６６は、球誘導部１６８の下面部にカバー１８２の上端部が略接触することでカバー１８２に支持された状態となるため、上方から落下する遊技球が球誘導部１６８の上面部に衝突した際に受ける衝撃力はカバー１８２にも受け止められ、それによって、球誘導部１６８から固定部１７０、ストッパーピン１８０、操作部１７２のガイドボス１７４等に及ぶ衝撃力が弱められる。
【００４２】
また、ストッパーピン１８０を固定孔１７８及びストッパー孔１５６から引き抜くと、カバー１８２は固定解除されて前方へ揺動可能となる。ここで、カバー１８２の上端部に指先を引っ掛けカバー１８２を手前に引き倒すと、カバー１８２は開放し、カバー１８２に隠蔽されていたストッパー孔１５６、ストッパーピン１８０、及び目盛線１６０等が露出される。
【００４３】
次に、上記のように構成された本実施形態に係るパチンコ機１０の遊技手順及び動作について説明する。
【００４４】
パチンコ機１０による遊技では、遊技者が発射ハンドル３４を操作すると、一体皿３０の球皿部２８に貯えられている遊技球は球送り装置（図示省略）により一球づつ発射装置（図示省略）に供給され、発射装置によって上方へ発射される（図２の矢印Ｃ方向）。発射された遊技球ＢＬは、外レール１０２に沿って遊技盤１００の遊技領域１０１に打ち込まれ、遊技釘に当たり方向を変えながら遊技領域１０１内を自重落下する。そして、入賞せずに遊技領域１０１の下端部に至った遊技球はアウト口１２４からパチンコ機１０内に回収される。
【００４５】
また、遊技球が入賞口１１８に入賞すると、パチンコ機１０内の球払出装置が作動して所定数（例えば５個）の賞球を払い出し、その払い出された賞球は賞球排出口４６から球皿部２８に排出される。
【００４６】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００４７】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００４８】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。
【００４９】
ここで、開放された大入賞口１１４への入賞については、本実施形態のパチンコ機１０では、大入賞口１１４の上方近傍に入賞率調整機構１５０の誘導部材１６６が配置されているため（図２参照）、遊技領域１０１内を大入賞口１１４に向かって落下する遊技球ＢＬが誘導部材１６６の球誘導部１６８に衝突した場合には、その遊技球ＢＬは落下方向が変化する。ここで、落下方向が大入賞口１１４に近づく方向へ変えられた遊技球ＢＬは大入賞口１１４に入賞し、又は大入賞口１１４に入賞する確率が高くなり、落下方向が大入賞口１１４から遠ざかる方向へ変えられた遊技球ＢＬは大入賞口１１４に入賞しない、又は大入賞口１１４に入賞しなくなる確率が高くなる。そして、大入賞口１１４に遊技球ＢＬが入賞すると、例えば入賞１個当たり１５個の払い出しを受けるなどして、遊技者は大量の賞球を獲得できるようになる。
【００５０】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置の回転時間が短縮され始動口１１０が開放し易くなって球持ちをよくする「時短機能」といった付加機能が作動して、遊技者にとって有利な遊技状態が展開される。
【００５１】
次に、以上説明した本実施形態に係るパチンコ機１０における入賞率調整機構１５０による入賞率の調整方法及び作用について説明する。
【００５２】
本実施形態の入賞率調整機構１５０を用いて大入賞口１１４の入賞率を調整する際は、誘導部材１６６を移動させ位置を変更することにより行う。
【００５３】
作業者は、先ず、カバー１８２を固定している２本のロックピン１８６を引き抜いてカバー１８２を開放する。カバー１８２が開放されると、カバー１８２に隠蔽されていたストッパー孔１５６、ストッパーピン１８０、及び目盛線１６０等が露出する。次に、誘導部材１６６を固定しているストッパーピン１８０を引き抜き、操作部１７２を左右のうちの所望する方向へ指先で押し動かして誘導部材１６６を遊技盤１００の盤面１００Ａに沿ってスライドさせ、誘導部材１６６（球誘導部１６８）によって遊技球が大入賞口１１４に誘導され易くなるよう又は誘導され難くなるよう、所望の位置まで移動させて誘導部材１６６の固定位置を変更する。誘導部材１６６の固定位置については、本実施形態の入賞率調整機構１５０の場合、ストッパー孔１５６に対応する９ポジションの中から選択することができる。
【００５４】
ここで、作業者が、誘導部材１６６を９ポジションのうちの固定させたい位置付近までスライドさせ、操作部１７２の左右側端を目盛部１５８の目盛線１６０に重ね合わせると、固定部１７０の固定孔１７８はストッパー孔１５６に位置合わせされる。そして、固定孔１７８及びストッパー孔１５６にストッパーピン１８０を挿入して誘導部材１６６を固定した後、カバー１８２を閉塞してロックピン１８６により固定すると、大入賞口１１４の入賞率調整作業は完了する。
【００５５】
このように、本実施形態のパチンコ機１０では、大入賞口１１４の入賞率調整は、誘導部材１６６を手動でスライド操作すると共にその固定及び固定解除を行うのみであるため、高度な技量が要求されることはないく、その調整を高い精度で簡単且つ迅速に行うことができる。
【００５６】
また、本実施形態では、変動入賞装置１１２に設けた入賞率調整機構１５０の凹部１５２に、所定の方向（左右方向）に沿ってストッパー孔１５６を複数（９個）設け、誘導部材１６６の位置を変更して大入賞口１１４の入賞率を調整する際は、誘導部材１６６を所定の方向にスライドさせ複数のストッパー孔１５６の何れか１つに選択的に固定することにより行う。これにより、誘導部材１６６の位置調整が容易になり、大入賞口１１４の入賞率調整を更に簡単且つ迅速に行うことができる。さらに、誘導部材１６６の固定では、目盛部１５８の目盛線１６０に操作部１７２の左右側端を重ね合わせるだけで簡単に固定孔１７８をストッパー孔１５６に位置合わせできるため、固定位置合わせ及び固定作業も容易なる。
【００５７】
また、本実施形態では、誘導部材１６６の位置調整時には、カバー１８２を開放してストッパー孔１５６及び目盛部１５８に対するカバー１８２よる隠蔽を解除し、誘導部材１６６の固定位置が識別可能となるようにすることにより、作業者は、目盛部１５８によって示される誘導部材１６６の固定位置に関する表示情報を視認し、誘導部材１６６を簡単に位置調整できるようになる。また、誘導部材１６６の位置調整後には、カバー１８２を閉塞してストッパー孔１５６及び目盛部１５８をカバー１８２により隠蔽し、誘導部材１６６の固定位置（誘導部材１６６と大入賞口１１４との相対的な位置関係）が識別不能となるようにすることにより、遊技者に対しては、ストッパー孔１５６や目盛部１５８よる表示情報に基づき大入賞口１１４の入賞率の調整状態を把握できないようにすることができる。
【００５８】
（第２の実施形態）
図６〜図８には本発明の第２の実施形態に係る変動入賞装置に設けられた入賞率調整機構が示されている。なお、本実施形態に係る変動入賞装置に設けられた入賞率調整機構では、第１の実施形態と共通の部分に同一符合を付して説明を省略する。
【００５９】
本実施形態の入賞率調整機構２００は、第１実施形態の入賞率調整機構１５０と同じく、変動入賞装置１１２のベース１１３の前面における上部左側（大入賞口１１４の左縁部上方）及び上部右側（大入賞口１１４の右縁部上方）にそれぞれ配置されており、各入賞率調整機構２００は、変動入賞装置１１２のベース１１３の前面に設けられた凹部２１０内に目盛部２１２が設けられ、目盛部２１２の上方に配置された誘導部材２０２はベース１１３の前面に取り付けられている。
【００６０】
本実施形態の誘導部材２０２は、第１実施形態の誘導部材１６６の球誘導部１６８と同じ形状の略半円柱形とされ、その厚さは球誘導部１６８の約１／２とされている。誘導部材２０２の前面下部には、幅方向の中心線上に位置して、下向き矢印形状で示される指標部２０４が印刷又は刻印等によって設けられている。誘導部材２０２の裏面中央部には、横長の略楕円形とされたガイドボス２０６が突設されており、ガイドボス２０６の先端面中央部には図示しないネジ孔が形成されている。
【００６１】
変動入賞装置１１２のベース１１３の前面には、凹部２１０の上側に位置してガイド孔２０８が形成されている。ガイド孔２０８は左右方向（図６（Ｂ）の矢印Ａ方向）に沿った直線状に延設されており、このガイド孔２０８には、誘導部材２０２のガイドボス２０６が所定の嵌合力で嵌め入れられるようになっている。
【００６２】
誘導部材２０２は、円柱周面（上面）を上側に向けてガイドボス２０６がガイド孔２０８に挿入され、ベース１１３の裏面側からガイドボス２０６のネジ孔にネジ１７６がネジ止めされることによりベース１１３の前面に取り付けられている。この取付状態では、誘導部材２０２は、図７（Ａ）に示されるように、遊技盤１００の盤面１００Ａよりも前方へ突出して遊技盤１００を覆う内側のガラス板２２付近まで延出している。また、ガイドボス２０６の長手方向となる上下外周面がガイド孔２０８の上下内周面に接して誘導部材２０２の左右方向への傾き及びガタツキは抑えられ、誘導部材２０２を左右方向へ押すと、ガイドボス２０６がガイド孔２０８に沿って摺動し、誘導部材２０２は、遊技盤１００の盤面１００Ａと平行に配置された変動入賞装置１１２のベース１１３前面に沿って左右方向へスライドする（図６（Ｂ）及び図８（Ｂ）の矢印Ａ方向）。またここでは、ガイドボス２０６の外周面とガイド孔２０８の内周面との間に生じる摩擦力、及び、ネジ１７６の頭部がガイド孔２０８の孔縁に係止することで生じる摩擦力により、誘導部材２０２のスライドには負荷が生じると共に、スライドを止めると誘導部材２０２はその位置に保持され固定される。
【００６３】
一方、この誘導部材２０２の下側に配置されてベース１１３の前面に設けられた凹部２１０は、第１実施形態の凹部１５２に対し、開口の上下方向寸法、及び奥行き方向（深さ）寸法がそれぞれ約１／２とされている。この凹部２１０には、奥壁の上部に、指標部２０４の位置を計測するための計測基準となる目盛が表示された目盛部２１２が印刷又は刻印等によって設けられている。目盛部２１２は、ガイド孔２０８の延設方向と平行な向きの直線目盛とされ、目盛を構成する複数本の主目盛線２１４及び副目盛線２１６が所定の間隔で割り振られており、主目盛線２１４の下側に数字で目盛値２１８が表記されている。
【００６４】
また、凹部２１０の前面には、その前面開口を塞ぐカバー２２０が設けられている。カバー２２０は、左右の下端部が凹部２１０の左右の内側壁下端部に軸支されて前後方向へ揺動可能とされており（図８（Ｂ）の矢印Ｂ方向）、凹部２１０の前面開口を塞ぐ閉塞位置にすると、カバー２２０裏面の左上角部及び右上角部が凹部２１０内の一対のリブ１６２に当接して閉塞方向への揺動が規制されると共に、カバー２２０の前面が変動入賞装置１１２のベース１１３の前面に揃えられる。また、このカバー２２０の左右側端部には切欠き２２２がそれぞれ形成されている。
【００６５】
このカバー２２０を開放位置から閉塞位置に揺動させると、各固定孔１８４が各ロック孔１６４に位置合わせされてロックピン１８６をそれぞれ挿入できるようになり、この状態で、固定孔１８４及びロック孔１６４にロックピン１８６を挿入すると、カバー２２０はロックピン１８６によって固定される。このように、カバー２２０によって凹部２１０の前面開口を塞ぐと、目盛部２１２がカバー２２０によって隠蔽される。
【００６６】
また、ストッパーピン１８０を固定孔１７８及びストッパー孔１５６から引き抜くと、カバー２２０は固定解除されて前方へ揺動可能となる。ここで、カバー２２０の切欠き２２２に指先を引っ掛けカバー２２０を手前に引き倒すと、カバー２２０は開放し、カバー２２０に隠蔽されていた目盛部２１２が露出される。
【００６７】
次に、上記のように構成された本実施形態に係る入賞率調整機構２００による入賞率の調整方法及び作用について説明する。
【００６８】
本実施形態の入賞率調整機構２００を用いて大入賞口１１４の入賞率を調整する際も、第１実施形態の入賞率調整機構１５０と同じく、誘導部材２０２を移動させ位置を変更することにより行う。
【００６９】
作業者は、先ず、カバー１８２を固定している２本のロックピン１８６を引き抜いてカバー１８２を開放し、カバー１８２に隠蔽されている目盛部２１２を露出させる。次に、誘導部材２０２を摘み、左右のうちの所望する方向へ動かして誘導部材２０２を遊技盤１００の盤面１００Ａに沿ってスライドさせる。誘導部材２０２がスライドされると、誘導部材２０２の前面に設けられた指標部２０４はスライドに伴い凹部２１０内に設けられた目盛部２１２に対して相対移動する。また、誘導部材２０２がスライド停止されると、指標部２０４は目盛部２１２に表示された特定の目盛（主目盛線２１４又は副目盛線２１６）を指し示す。この指標部２０４が指し示している目盛とその近傍の目盛値２１８から誘導部材２０２の位置を計測することができ、これによって、誘導部材２０２の調整位置、すなわち、変動入賞装置１１２に設けられた大入賞口１１４と誘導部材２０２との相対的な位置関係を詳細に把握することができて微調整が可能になる。
【００７０】
ここで、作業者は、誘導部材２０２によって遊技球が大入賞口１１４に誘導され易くなるよう又は誘導され難くなるよう、所望する方向へ誘導部材２０２を移動させつつ、指標部２０４が指し示す目盛を確認しながら微調整し、指標部２０４が所望の目盛を指した位置で誘導部材２０２を停止させる。これにより、誘導部材２０２は、その変更された位置に摩擦力によって固定される。最後に、カバー２２０を閉塞してロックピン１８６により固定すると、大入賞口１１４の入賞率調整作業は完了する。
【００７１】
このように、本実施形態の入賞率調整機構２００では、大入賞口１１４の入賞率調整は、誘導部材２０２を手動でスライド操作するのみであるため、第１実施形態の入賞率調整機構１５０よりも簡単且つ迅速に調整を行うことができる。
【００７２】
また、本実施形態では、誘導部材２０２の固定位置、すなわち、大入賞口１１４に対する誘導部材２０２の相対的な位置が指標部２０４及び目盛部２１２によって示されるため、大入賞口１１４の入賞率調整においては、作業者はそれらの指標部２０４及び目盛部２１２を視認することで、誘導部材２０２の位置をより高い精度に調整することができる。これにより、ホールにおけるパチンコ機１０毎の大入賞口１１４の入賞率を均一に調整する、あるいはパチンコ機１０毎に大入賞口１１４の入賞率を所望の状態に調整する場合の調整ばらつきやずれを抑制することができる。
【００７３】
また、本実施形態の場合も第１実施形態と同様に、誘導部材２０２の位置調整時には、カバー２２０を開放して目盛部２１２に対するカバー２２０よる隠蔽を解除し、誘導部材２０２の固定位置（調整位置）が識別可能となるようにすることにより、作業者は、指標部２０４及び目盛部２１２によって示される誘導部材２０２の固定位置に関する表示情報を視認し、誘導部材２０２を簡単に位置調整できるようになる。また、誘導部材２０２の位置調整後には、カバー２２０を閉塞して目盛部２１２をカバー２２０により隠蔽し、誘導部材２０２の固定位置（誘導部材２０２と大入賞口１１４との相対的な位置関係）が識別不能となるようにすることにより、遊技者に対しては、指標部２０４が指し示した目盛部２１２の目盛よる表示情報に基づき大入賞口１１４の入賞率の調整状態を把握できないようにすることができる。
【００７４】
また、本実施形態では、誘導部材２０２の固定位置を示す位置表示手段を、誘導部材２０２に設けた指標部２０４と、指標部２０４に対応して変動入賞装置１１２のベース１１３に設けられ指標部２０４の位置を計測するための計測基準となる目盛（主目盛線２１４、副目盛線２１６、目盛値２１８）が表示された目盛部２１２と、で構成していることにより、誘導部材２０２の調整位置を詳細に把握することができて微調整が可能になる。このような指標部２０４及び目盛部２１２によって位置表示手段を構成することにより、位置表示手段を簡素且つ安価にできる。
【００７５】
以上、本発明を上述した第１及び第２の実施形態により詳細に説明したが、本発明はそれらに限定されるものではなく、本発明の範囲内にて他の種々の実施形態が可能である。例えば、誘導部材１６６、２０２のスライド方向は、遊技盤１００の盤面１００Ａに沿った左右方向に限らず、上下方向や斜め方向等にすることもできる。
【図面の簡単な説明】
【００７６】
【図１】本発明の第１の実施形態に係るパチンコ機を示す正面図である。
【図２】図１のパチンコ機に搭載される遊技盤を示す正面図である。
【図３】本発明の第１の実施形態に係る入賞率調整機構を示す正面図であり、（Ａ）はカバーの閉塞状態であり、（Ｂ）はカバーの開放状態である。
【図４】（Ａ）は図３（Ａ）の４Ａ−４Ａ線断面図であり、（Ｂ）は図３（Ｂ）の４Ｂ−４Ｂ線断面図である。
【図５】図３の入賞率調整機構を示す斜視図であり、（Ａ）はカバーの閉塞状態であり、（Ｂ）はカバーの開放状態である。
【図６】本発明の第２の実施形態に係る入賞率調整機構を示す正面図であり、（Ａ）はカバーの閉塞状態であり、（Ｂ）はカバーの開放状態である。
【図７】（Ａ）は図６（Ａ）の７Ａ−７Ａ線断面図であり、（Ｂ）は図６（Ｂ）の７Ｂ−７Ｂ線断面図である。
【図８】図６の入賞率調整機構を示す斜視図であり、（Ａ）はカバーの閉塞状態であり、（Ｂ）はカバーの開放状態である。
【図９】従来の遊技盤を示す正面図である。
【符号の説明】
【００７７】
１０        パチンコ機
１００        遊技盤
１００Ａ      盤面
１０１        遊技領域
１１２        変動入賞装置
１１３        ベース（変動入賞装置）
１１４        大入賞口
１５０        入賞率調整機構
１５４        ガイド孔（ガイド手段）
１５６        ストッパー孔（固定部／位置表示手段）
１５８        目盛部（位置表示手段）
１６０        目盛線（位置表示手段）
１６６        誘導部材
１６８        球誘導部
１８０        ストッパーピン（固定手段）
１８２        カバー（隠蔽手段）
２００        入賞率調整機構
２０２        誘導部材
２０４        指標部（位置表示手段／指標部）
２０６        ガイドボス（ガイド手段／固定手段）
２０８        ガイド孔（ガイド手段／固定手段）
２１２        目盛部（位置表示手段／目盛部）
２１４        主目盛線（位置表示手段／目盛部）
２１６        副目盛線（位置表示手段／目盛部）
２１８        目盛値（位置表示手段／目盛部）
２２０        カバー（隠蔽手段）
ＢＬ        遊技球
【図１】
2005177272.tif 000003
【図２】
2005177272.tif 000004
【図３】
2005177272.tif 000005
【図４】
2005177272.tif 000006
【図５】
2005177272.tif 000007
【図６】
2005177272.tif 000008
【図７】
2005177272.tif 000009
【図８】
2005177272.tif 000010
【図９】
2005177272.tif 000011